(57)【要約】      （修正有）【課題】特に火薬に頼らない電動ガンを提供する。【解決手段】メカボックスフレーム１０と、固定ピン４５によりメカボックスフレームの前方に着脱可能に連結される上部カバー４０と、固定ピン４４によりメカボックスフレームの後方に着脱可能に連結されるストック２０を有する電動ガンであって、前記メカボックスフレームの内部にギアボックス部材１４が配置され、前記上部カバーの内部にシリンダー部材３０が配置されると共に、前記ストックの内部に可動ピストン３２を有するピストン組２３が配置され、前記ギアボックス部材におけるギア組１４０の伝動により、シリンダー部材におけるシリンダー体３１内に配置される可動ピストンをストック側に移動させることを特徴とする。【選択図】図１
0003119511.tif 000002
【実用新案登録請求の範囲】
【請求項１】
メカボックスフレーム（１０）と、
固定ピンによりメカボックスフレーム（１０）の前方に着脱可能に連結される上部カバー（４０）と、
螺合手段によりメカボックスフレーム（１０）の後方に着脱可能に連結されるストック（２０）を有する電動ガンであって
前記メカボックスフレーム（１０）の内部にギアボックス部材（１４）が配置され、前記上部カバー（４０）の内部にシリンダー部材（３０）が配置されると共に、前記ストック（２０）の内部に可動ピストン（３２）を付勢するピストン組（２３）が配置され、
前記ギアボックス部材（１４）におけるギア組（１４０）はその伝動により、シリンダー部材（３０）のシリンダー体（３１）内に配置される可動ピストン（３２）をストック（２０）側に移動させることを特徴とする電動ガン。
【請求項２】
前記メカボックスフレーム（１０）は、横向きのフレーム部材（１２）と、該フレーム部材（１２）の後端底部に配置されるグリップ（１１）と、該フレーム部材（１２）の前端底部に配置されるマガジン収容部（１２５）とを有し、
前記ギアボックス部材（１４）は、グリップ（１１）内に設置されるモータ（１４１）と、フレーム部材（１２）内に設置されると共に、モータ（１４１）により駆動するギア組（１４０）とを有し、
前記ギア組（１４０）は、周縁の一部がフレーム部材（１２）の上部から突出する伝動ギア（１４２）を有し、該フレーム部材（１２）の後端にストック（２０）が連結され、フレーム部材（１２）における、伝動ギア（１４２）とストック（２０）との間に壁を貫通する後部結合孔（１２３）が形成されると共に、フレーム部材（１２）の前端に前部結合孔（１２４）が形成され、
前記上部カバー（４０）は、その前端にバレル（４１）が設けられると共に、後端底部に収容溝（４２）が形成され、更に前記上部カバー（４０）の前側は、前部固定ピン（４５）がフレーム部材（１２）の前部結合孔（１２４）からバレル（４１）の一端底部へ挿設されることにより、メカボックスフレーム（１０）に組み合わされ、
前記シリンダー部材（３０）は、収容溝（４２）に嵌め込まれた後、該シリンダー部材（３０）の後側と収容溝（４２）の後側底部は、着脱可能な後部固定ピン（４４）を後部結合孔（１２３）に挿設することによりメカボックスフレーム（１０）に組み合わされ、また、シリンダー部材（３０）内にシリンダー体（３１）が設けられ、該シリンダー体（３１）における、マガジン収容部（１２５）と隣接する一端に中空のエアー噴出ノズル（３１０）が設けられると共に、シリンダー体（３１）内にその内部において移動可能な可動ピストン（３２）が設けられ、該可動ピストン（３２）の底部に前記伝動ギア（１４２）と噛合し合うラック（３２１）が設けられ、
前記ピストン組（２３）は、ストック（２０）における、フレーム部材（１２）側に設置されると共に、その内部に設けられるバネ（２３１）は、常に可動ピストン（３２）の一端を付勢することを特徴とする請求項１に記載の電動ガン。
【請求項３】
前記メカボックスフレーム（１０）における、ストック（２０）側の一端にねじ部（１２１）が形成されると共に、該ストック（２０）における、メカボックスフレーム（１０）側の一端に、該ねじ部（１２１）に螺合される結合端（２１０）を有する結合部材（２１）が設けられ、
前記バネ（２３１）の一端がストック（２０）内に設置されるスプリングガイド（２３０）を被装し、他端が該バネ（２３１）と可動ピストン（３２）との間に設けられるスリーブ（２３２）に固設されることを特徴とする請求項２に記載の電動ガン。
【考案の詳細な説明】
【技術分野】
【０００１】
本考案は、特に火薬に頼らない電動ガンに関するものである。
【背景技術】
【０００２】
図３に示すように、従来の電動ガンは主に２つの部材を組み合わせて成ると共に、メカボックス（６０）のグリップ（６１）内に駆動装置（符号なし）が内蔵され、フレーム本体（符号なし）内に可動ピストン（符号なし）及び該可動ピストンと駆動装置に連結されるギア組が設けられる。即ち従来の電動ガン全ての部材がメカボックスフレーム（６０）に内蔵されている構成である。
【考案の開示】
【考案が解決しようとする課題】
【０００３】
上述したように、前記従来の電動ガンは、全ての部材がメカボックスフレーム（６０）に内蔵されているので、組立や分解が面倒であり、特に故障時においては、一部の部材にその原因があったとしても、内部の部材が互いに連結していることから、全ての部材を分解する必要があるので、修理が難しいと共に、時間もかかっていた。故に従来の電動ガンは、依然として利便性や実用性の面において欠点を有するものであるので、更に改良する必要がある。
【課題を解決するための手段】
【０００４】
本考案の請求項１は、メカボックスフレーム（１０）と、
固定ピンによりメカボックスフレーム（１０）の前方に着脱可能に連結される上部カバー（４０）と、
螺合手段によりメカボックスフレーム（１０）の後方に着脱可能に連結されるストック（２０）を有する電動ガンであって、
前記メカボックスフレーム（１０）の内部にギアボックス部材（１４）が配置され、前記上部カバー（４０）の内部にシリンダー部材（３０）が配置されると共に、前記ストック（２０）の内部に可動ピストン（３２）を付勢するピストン組（２３）が配置され、
前記ギアボックス部材（１４）におけるギア組（１４０）はその伝動により、シリンダー部材（３０）のシリンダー体（３１）内に配置される可動ピストン（３２）をストック（２０）側に移動させることを特徴とする電動ガンを提供するものである。
【０００５】
本考案の請求項２は、前記メカボックスフレーム（１０）は、横向きのフレーム部材（１２）と、該フレーム部材（１２）の後端底部に配置されるグリップ（１１）と、該フレーム部材（１２）の前端底部に配置されるマガジン収容部（１２５）とを有し、
前記ギアボックス部材（１４）は、グリップ（１１）内に設置されるモータ（１４１）と、フレーム部材（１２）内に設置されると共に、モータ（１４１）により駆動するギア組（１４０）とを有し、
前記ギア組（１４０）は、周縁の一部がフレーム部材（１２）の上部から突出する伝動ギア（１４２）を有し、該フレーム部材（１２）の後端にストック（２０）が連結され、フレーム部材（１２）における、伝動ギア（１４２）とストック（２０）との間に壁を貫通する後部結合孔（１２３）が形成されると共に、フレーム部材（１２）の前端に前部結合孔（１２４）が形成され、
前記上部カバー（４０）は、その前端にバレル（４１）が設けられると共に、後端底部に収容溝（４２）が形成され、更に前記上部カバー（４０）の前側は、前部固定ピン（４５）がフレーム部材（１２）の前部結合孔（１２４）からバレル（４１）の一端底部へ挿設されることにより、メカボックスフレーム（１０）に組み合わされ、
前記シリンダー部材（３０）は、収容溝（４２）に嵌め込まれた後、該シリンダー部材（３０）の後側と収容溝（４２）の後側底部は、着脱可能な後部固定ピン（４４）を後部結合孔（１２３）に挿設することによりメカボックスフレーム（１０）に組み合わされ、また、シリンダー部材（３０）内にシリンダー体（３１）が設けられ、該シリンダー体（３１）における、マガジン収容部（１２５）と隣接する一端に中空のエアー噴出ノズル（３１０）が設けられると共に、シリンダー体（３１）内にその内部において移動可能な可動ピストン（３２）が設けられ、該可動ピストン（３２）の底部に前記伝動ギア（１４２）と噛合し合うラック（３２１）が設けられ、
前記ピストン組（２３）は、ストック（２０）における、フレーム部材（１２）側に設置されると共に、その内部に設けられるバネ（２３１）は、常に可動ピストン（３２）の一端を付勢することを特徴とする請求項１に記載の電動ガンを提供するものである。
【０００６】
本考案の請求項３は、前記メカボックスフレーム（１０）における、ストック（２０）側の一端にねじ部（１２１）が形成されると共に、該ストック（２０）における、メカボックスフレーム（１０）側の一端に、該ねじ部（１２１）に螺合される結合端（２１０）を有する結合部材（２１）が設けられ、前記バネ（２３１）の一端がストック（２０）内に設置されるスプリングガイド（２３０）を被装し、他端が該バネ（２３１）と可動ピストン（３２）との間に設けられるスリーブ（２３２）に固設されることを特徴とする請求項２に記載の電動ガンを提供するものである。
【考案の効果】
【０００７】
本考案は上記の課題を解決するものであり、それぞれ上部カバー、メカボックスフレーム、ストックの内部に位置されるシリンダー部材、ギアボックス部材、ピストン組を有し、該シリンダー部材、ギアボックス部材及びピストン組はそれぞれ、上部カバー、メカボックスフレーム及びストックの間において独立しており、それら上部カバー、メカボックスフレーム及びストックが固定ピンにより分解可能である構成を有することから、これら各部材は、各自単独で取り外すことができる。
【０００８】
更に上部カバーとメカボックスフレームとは、着脱可能な前部固定ピンと後部固定ピンにより結合されるので、実物さながらの迫力を味わうことができると共に、修理やメンテナンスが非常に容易である。
【考案を実施するための最良の形態】
【０００９】
以下、添付図面を参照して本考案の好適な実施の形態を詳細に説明する。
【実施例】
【００１０】
図１は本考案に係る電動ガンの使用状態を示す分解斜視図であり、図２は本考案に係る電動ガンの使用状態を示す部分側面断面図である。
【００１１】
図１及び図２に示すように、本考案の電動ガンは、それぞれ上部カバー（４０）、メカボックスフレーム（１０）、ストック（２０）の内部に位置されるシリンダー部材（３０）、ギアボックス部材（１４）、ピストン組（２３）を有し、該上部カバー（４０）とメカボックスフレーム（１０）とは、着脱可能な前部固定ピン（４５）と後部固定ピン（４４）により結合されると共に、該メカボックスフレーム（１０）とストック（２０）とは、螺合方式により結合される。
【００１２】
更に、前記メカボックスフレーム（１０）に横向きのフレーム部材（１２）が設けられると共に、該メカボックスフレーム（１０）における、フレーム部材（１２）の後端底部にグリップ（１１）及びトリガ（１５）が設けられ、前記ギアボックス部材（１４）は、グリップ（１１）内に設置されるモータ（１４１）と、フレーム部材（１２）内に設置されると共に、モータ（１４１）により駆動するギア組（１４０）とを有する。
【００１３】
尚、該モータ（１４１）、ギア組（１４０）及びトリガ（１５）は周知の技術であるので、ここでは特に詳細に説明しない。
【００１４】
更に前記メカボックスフレーム（１０）におけるフレーム部材（１２）の上部に、ギア組（１４０）の周縁に設けられる伝動ギア（１４２）の一部が突出する長溝（１２０）が形成され、フレーム部材（１２）の後端にストック（２０）と結合されるねじ部（１２１）が形成されると共に、該伝動ギア（１４２）とねじ部（１２１）との間における、フレーム部材（１２）の上面に結合溝（１２２）が形成され、更に該結合溝（１２２）の周壁面及びフレーム部材（１２）の前端にそれぞれ、貫通する後部結合孔（１２３）及び前部結合孔（１２４）が形成され、更に前記シリンダー部材（３０）は、上部カバーに組み合わされると共に、フレーム部材（１２）の前端底部に、マガジン（５０）を装着するための下向きに開口するマガジン収容部（１２５）が形成され、フレーム部材（１２）の上部に該マガジン収容部（１２５）と連通し、マガジン（５０）内の弾を送り出すための開口（１２６）が形成される。
【００１５】
また、前記ストック（２０）の一端にフレーム部材（１２）のねじ部（１２１）と対応する結合端（２１０）を有する結合部材（２１）が嵌め込まれる収容溝（２２）が形成されると共に、該収容溝（２２）内に、スプリングガイド（２３０）及びバネ（２３１）から成るピストン組（２３）が挿設され、更に該バネ（２３１）の一端はスプリングガイド（２３０）に嵌装されると共に、他端はスリーブ（２３２）に嵌め込まれる。
【００１６】
前記上部カバー（４０）は、その一端に中空のバレル（４１）が設けられ、後端底部に前記ストック（２０）に向かって開口する収容溝（４２）が形成されると共に、該収容溝（４２）内に前記中空状のシリンダー部材（３０）が内設され、該収容溝（４２）の底部における、ストック（２０）と隣接する端、及びバレル（４１）の一端の周壁上にそれぞれ後部固定孔（４２１）及び前部固定孔（４２２）が形成され、該後部固定孔（４２１）及び前部固定孔（４２２）はそれぞれフレーム部材（１２）における後部結合孔（１２３）及び前部結合孔（１２４）と組み合わされ、後部固定ピン（４４）及び前部固定ピン（４５）を嵌挿することにより固定される。
【００１７】
更に、前記シリンダー部材（３０）の底部に前記フレーム部材（１２）の後部結合孔（１２３）と対応する貫通孔（３００）が形成されると共に、内部に、一端にエアー噴出ノズル（３１０）を有する中空のシリンダー体（３１）及び一端が前記スリーブ（２３２）に付勢される可動ピストン（３２）が設けられ、該可動ピストン（３２）の底部に前記伝動ギア（１４２）と噛合し合うラック（３２１）が設けられる。
【００１８】
この構成により、電動ガンから弾が発射される時は、スリーブ（２３２）が可動ピストン（３２）によって後方へ一定距離押圧されると同時に、シリンダー体（３１）内に空気が吸入され、その後、該可動ピストン（３２）が瞬間的に復位し、シリンダー体（３１）内の空気がエアー噴出ノズル（３１０）の一端から一気に噴出することにより、BB弾或いはペイント弾などが発射される。尚、前記可動ピストン（３２）と伝動ギア（１４２）との間の動作については、周知の技術であり、且つ本考案の特徴でもないので、その説明を省略する。
【００１９】
前記マガジン（５０）は、下から上に向けてメカボックスフレーム（１０）のマガジン収容部（１２５）内に嵌め込まれ、その後、その内部の弾は該マガジン（５０）の上部シリンダー部材（３０）のエアー噴出ノズル（３１０）の前端に充填される。
【００２０】
上述の構成によれば、前記本考案を組み合わせる時は、単にストック（２０）をメカボックスフレーム（１０）のねじ部（１２１）に螺合し、上部カバー（４０）にシリンダー部材（３０）を結合した後、それらを共にメカボックスフレーム（１０）上にピンにより取り付けると共に、マガジン（５０）をメカボックスフレーム（１０）の前端下部におけるマガジン収容部（１２５）に嵌め込めば、簡単に電動ガンを完成させることができる。故に、本考案の電動ガンは、幾つかのユニットを組み合わせるだけでよいことから、故障時には電動ガン全てを分解する必要がなく、故障した部材のみ取り外して修理や交換を行えばよいので、作業が非常に楽であり、且つ組立、分解もより素早く行うことができる。
【図面の簡単な説明】
【００２１】
【図１】本考案に係る電動ガンの使用状態を示す分解斜視図である。
【図２】本考案に係る電動ガンの使用状態を示す部分側面断面図である。
【図３】従来の電動ガンの使用状態を示す分解斜視図である。
【符号の説明】
【００２２】
１０        メカボックスフレーム
１１        グリップ
１２        フレーム部材
１２０      長溝
１２１      ねじ部
１２２      結合溝
１２３      後部結合孔
１２４      前部結合孔
１２５      マガジン収容部
１２６      開口
１４        ギアボックス部材
１４０      ギア組
１４１      モータ
１４２      伝動ギア
１５        トリガ
２０        ストック
２１        結合部材
２１０      結合端
２２        収容溝
２３        ピストン組
２３０      スプリングガイド
２３１      バネ
２３２      スリーブ
３０        シリンダー部材
３００      貫通孔
３１        シリンダー体
３１０      エアー噴出ノズル
３２        可動ピストン
３２１      ラック
４０        上部カバー
４１        バレル
４２        収容溝
４２１      後部固定孔
４２２      前部固定孔
４４        後部固定ピン
４５        前部固定ピン
５０        マガジン
６０        メカボックス
６１        グリップ
【図１】
0003119511.tif 000003
【図２】
0003119511.tif 000004
【図３】
0003119511.tif 000005